(57)【要約】【課題】翻訳箇所と翻訳者が作成した訳文との対応がずれない漫画翻訳支援システムを提供する。【解決手段】翻訳支援システムは、指示データ生成装置１００と訳文データ生成装置２００とからなる。指示データ生成装置１００は、各翻訳箇所の原文関連情報を格納した指示ファイル１１を生成する。訳文データ生成装置は、指示読込部２０１と翻訳箇所指定部２０２と原文切出データ表示部２０３と訳文入力部２０４を備える。指示読込部２０１は、指示データ生成装置１００の生成した指示ファイル１１を読み込む。翻訳箇所指定部２０２は、指示ファイル１１の中から選択された翻訳箇所の原文関連情報を取得する。原文切出データ表示部２０３は、翻訳箇所指定部２０２が取得した原文関連情報に基づき、原文を明示させる。訳文入力部２０４は、入力された訳文を受け付け、翻訳箇所指定部２０２が取得した原文関連情報と訳文とを対応付けた訳文ファイル１３を生成する。【選択図】図１
2007304867.tif 000002
【特許請求の範囲】
【請求項１】
原文の翻訳箇所を指示する指示データを生成する指示データ生成装置と、前記翻訳箇所の訳文を格納した訳文データを生成する訳文データ生成装置とからなる翻訳支援システムであって、
前記指示データ生成装置は、
各翻訳箇所の原文に関する原文関連情報を格納した指示データを生成し、
前記訳文データ生成装置は、
前記指示データ生成装置の生成した指示データを読み込む指示読込手段と、
前記指示読込手段が読み込んだ指示データの中からユーザ操作により指定された翻訳箇所の原文関連情報を取得する翻訳箇所指定手段と、
前記翻訳箇所指定手段が取得した原文関連情報に基づき、原文を明示させる原文表示手段と、
ユーザ操作により入力された訳文を受け付け、前記翻訳箇所指定手段が取得した原文関連情報と前記受け付けた訳文とを対応付けた訳文データを生成する訳文入力手段と
を備えることを特徴とする翻訳支援システム。
【請求項２】
前記指示データ生成装置は、
原文の各ページの画像を格納したページ画像データを読み込むページ画像読込手段と、
前記ページ画像読込手段が読み込んだページ画像を表示させるページ画像表示手段と、
前記ページ画像表示手段が表示させたページ画像から、ユーザ操作により指定された領域を切り出して、原文画像データを生成し、原文関連情報として該生成した原文画像データへの参照情報を格納した指示データを生成する原文画像切出手段と
を備え、
前記訳文データ生成装置の指示読込手段は、前記指示データとともに、前記原文画像切出手段が生成した原文画像データを読み込み、
前記訳文データ生成装置の原文表示手段は、前記指示入力手段が読み込んだ指示データを参照して、前記翻訳箇所指定手段が取得した原文関連情報の原文画像データへの参照情報を取得し、該取得した原文画像データへの参照情報に基づき、原文画像データを取得して表示させること
を特徴とする請求項１に記載の翻訳支援システム。
【請求項３】
前記指示データ生成装置は、見開きの２ページ分のページ画像を並べて表示させることを特徴とする請求項２に記載の翻訳支援システム。
【請求項４】
前記指示データ生成装置の原文画像切出手段は、原文関連情報として前記ユーザ操作により指定された領域を表す座標情報とを対応付けて、指示データを生成すること
を特徴とする請求項２に記載の翻訳支援システム。
【請求項５】
各翻訳箇所の原文に関する原文関連情報を格納した指示データを読み込む指示読込手段と、
前記指示読込手段が読み込んだ指示データの中からユーザ操作により指定された翻訳箇所の原文関連情報を取得する翻訳箇所指定手段と、
前記翻訳箇所指定手段が取得した原文関連情報に基づき、原文画像を明示する原文表示手段と、
ユーザ操作により入力された訳文を受け付け、前記翻訳箇所指定手段が取得した原文関連情報と前記受け付けた訳文とを対応付けた訳文データを生成する訳文入力手段と
を備えることを特徴とする訳文データ生成装置。
【請求項６】
コンピュータを、
各翻訳箇所の原文に関する原文関連情報を格納した指示データを読み込む指示読込手段、
前記指示読込手段が読み込んだ指示データの中からユーザ操作により指定された翻訳箇所の原文関連情報を取得する翻訳箇所指定手段、
前記翻訳箇所指定手段が取得した原文関連情報に基づき、原文画像を明示する原文表示手段、
ユーザ操作により入力された訳文を受け付け、前記翻訳箇所指定手段が取得した原文関連情報と前記受け付けた訳文とを対応付けた訳文データを生成する訳文入力手段
として機能させるためのプログラム。
【請求項７】
原文の各ページの画像を格納したページ画像データを読み込むページ画像読込手段と、
前記ページ画像読込手段が読み込んだページ画像を表示させるページ画像表示手段と、
前記ページ画像表示手段が表示させたページ画像から、ユーザ操作により指定された領域を切り出して、原文画像データを生成し、原文関連情報として該生成した原文画像データへの参照情報を格納した指示データを生成する原文画像切出手段と
を備えることを特徴とする指示データ生成装置。
【請求項８】
コンピュータを、
原文の各ページの画像を格納したページ画像データを読み込むページ画像読込手段、
前記ページ画像読込手段が読み込んだページ画像を表示させるページ画像表示手段、
前記ページ画像表示手段が表示させたページ画像から、ユーザ操作により指定された領域を切り出して、原文画像データを生成し、原文関連情報として該生成した原文画像データへの参照情報を格納した指示データを生成する原文画像切出手段
として機能させるためのプログラム。
【発明の詳細な説明】
【技術分野】
【０００１】
本発明は、翻訳支援システム、指示データ生成装置、訳文データ生成装置ならびにそれらのプログラムにかかわり、特に、漫画、写真集、絵本など画像中心の電子書籍の台詞、絵の中の文字を翻訳者が翻訳して訳文を作成し、訳文と翻訳箇所の識別とを対応づけた訳文データを生成する翻訳支援システム、指示データ生成装置、訳文データ生成装置ならびにそれらのプログラムに関する。
【背景技術】
【０００２】
従来、電子書籍用の漫画の翻訳を行う際には、編集者などが原文の漫画の台詞、絵の中の文字など、翻訳が必要な箇所に番号を振っていき、これを翻訳者に対する指示書とする。この指示書を受け取った翻訳者は、指示書に基づき、各翻訳箇所を翻訳して訳文を作成し、各訳文には対応する翻訳箇所の番号を付して編集者に返す。編集者は、訳文を受け取ると、それに付されている番号を頼りに、訳文を漫画の画像中に挿入する位置を決めて、訳文を挿入した漫画画像や挿入位置が付された訳文の文字データを製作している。
また、漫画の吹き出しを検出し、吹き出し内の原文を認識し、認識した原文を翻訳して訳文を生成し、この訳文を原文の漫画画像に挿入した画像を生成する漫画生成装置や、原文の漫画画像とともにこの訳文の文字データを配信する漫画翻訳装置もある（例えば、特許文献１、特許文献２参照）。
【特許文献１】特開２００３−２２２６９号公報
【特許文献２】特開２００４−５０９９号公報
【発明の開示】
【発明が解決しようとする課題】
【０００３】
しかしながら、従来の方法では、翻訳箇所の番号と訳文との対応が、翻訳者や編集者の作業時にずれたりすることがあるという問題がある。特に、訳文の言語を編集者などが読めない場合は、訳文の内容がわからないので、原文と比較したり、訳文が漫画に挿入されたりしても内容の不一致がわからず、ずれていることに気付かない。また、特許文献１および特許文献２に示す漫画翻訳装置にあっては、翻訳そのものを装置が行うため、翻訳者が翻訳するように、場面や文脈に配慮した翻訳が得られないという問題がある。
【０００４】
本発明は、このような事情に鑑みてなされたもので、その目的は、翻訳箇所と翻訳者が作成した訳文との対応がずれない漫画翻訳支援システムを提供することにある。
【課題を解決するための手段】
【０００５】
この発明は上述した課題を解決するためになされたもので、この発明の翻訳支援システムは、原文の翻訳箇所を指示する指示データを生成する指示データ生成装置と、前記翻訳箇所の訳文を格納した訳文データを生成する訳文データ生成装置とからなる翻訳支援システムであって、前記指示データ生成装置は、各翻訳箇所の原文に関する原文関連情報を格納した指示データを生成し、前記訳文データ生成装置は、前記指示データ生成装置の生成した指示データを読み込む指示読込手段と、前記指示読込手段が読み込んだ指示データの中からユーザ操作により指定された翻訳箇所の原文関連情報を取得する翻訳箇所指定手段と、前記翻訳箇所指定手段が取得した原文関連情報に基づき、原文を明示させる原文表示手段と、ユーザ操作により入力された訳文を受け付け、前記翻訳箇所指定手段が取得した原文関連情報と前記受け付けた訳文とを対応付けた訳文データを生成する訳文入力手段とを備えることを特徴とする。
【０００６】
これにより、本発明の翻訳支援システムは、ユーザが指定した翻訳箇所の原文を明示させた状態で、訳文を入力することができるので、翻訳箇所と翻訳者が作成した訳文との対応がずれないように訳文データを生成できる。
【０００７】
また、本発明の翻訳支援システムは、上述の翻訳支援システムであって、前記指示データ生成装置は、原文の各ページの画像を格納したページ画像データを読み込むページ画像読込手段と、前記ページ画像読込手段が読み込んだページ画像を表示させるページ画像表示手段と、前記ページ画像表示手段が表示させたページ画像から、ユーザ操作により指定された領域を切り出して、原文画像データを生成し、原文関連情報として該生成した原文画像データへの参照情報を格納した指示データを生成する原文画像切出手段とを備え、前記訳文データ生成装置の指示読込手段は、前記指示データとともに、前記原文画像切出手段が生成した原文画像データを読み込み、前記訳文データ生成装置の原文表示手段は、前記指示入力手段が読み込んだ指示データを参照して、前記翻訳箇所指定手段が取得した原文関連情報の原文画像データへの参照情報を取得し、該取得した原文画像データへの参照情報に基づき、原文画像データを取得して表示させることを特徴とする。
【０００８】
これにより、本発明の翻訳支援システムは、ユーザが指定した翻訳箇所の原文画像を表示させた状態で、訳文を入力することができるので、翻訳箇所と翻訳者が作成した訳文との対応がずれないように訳文データを生成できる。
【０００９】
また、本発明の翻訳支援システムは、上述の翻訳支援システムであって、前記指示データ生成装置は、見開きの２ページ分のページ画像を並べて表示させることを特徴とする。
【００１０】
これにより、本発明の翻訳支援システムは、見開きの２ページ分のページ画像を並べて表示させるので、見開きページに跨った翻訳箇所が存在しても、該翻訳箇所を１つの翻訳箇所として扱うことができる。
【００１１】
また、本発明の翻訳支援システムは、上述の翻訳支援システムであって、前記指示データ生成装置の原文画像切出手段は、原文関連情報として前記ユーザ操作により指定された領域を表す座標情報とを対応付けて、指示データを生成することを特徴とする。
【００１２】
これにより、本発明の翻訳支援システムは、翻訳箇所の座標情報を生成するので、該座標情報を翻訳版の漫画を生成する際の訳文の挿入位置の情報として利用することで、訳文の挿入位置の入力作業を省くことができる。
【００１３】
また、本発明の訳文データ生成装置は、各翻訳箇所の原文に関する原文関連情報を格納した指示データを読み込む指示読込手段と、前記指示読込手段が読み込んだ指示データの中からユーザ操作により指定された翻訳箇所の原文関連情報を取得する翻訳箇所指定手段と、前記翻訳箇所指定手段が取得した原文関連情報に基づき、原文画像を明示する原文表示手段と、ユーザ操作により入力された訳文を受け付け、前記翻訳箇所指定手段が取得した原文関連情報と前記受け付けた訳文とを対応付けた訳文データを生成する訳文入力手段とを備えることを特徴とする。
【００１４】
また、本発明のプログラムは、コンピュータを、各翻訳箇所の原文に関する原文関連情報を格納した指示データを読み込む指示読込手段、前記指示読込手段が読み込んだ指示データの中からユーザ操作により指定された翻訳箇所の原文関連情報を取得する翻訳箇所指定手段、前記翻訳箇所指定手段が取得した原文関連情報に基づき、原文画像を明示する原文表示手段、ユーザ操作により入力された訳文を受け付け、前記翻訳箇所指定手段が取得した原文関連情報と前記受け付けた訳文とを対応付けた訳文データを生成する訳文入力手段として機能させるためのプログラムである。
【００１５】
また、本発明の指示データ生成装置は、原文の各ページの画像を格納したページ画像データを読み込むページ画像読込手段と、前記ページ画像読込手段が読み込んだページ画像を表示させるページ画像表示手段と、前記ページ画像表示手段が表示させたページ画像から、ユーザ操作により指定された領域を切り出して、原文画像データを生成し、原文関連情報として該生成した原文画像データへの参照情報を格納した指示データを生成する原文画像切出手段とを備えることを特徴とする。
【００１６】
また、本発明のプログラムは、コンピュータを、原文の各ページの画像を格納したページ画像データを読み込むページ画像読込手段、前記ページ画像読込手段が読み込んだページ画像を表示させるページ画像表示手段、前記ページ画像表示手段が表示させたページ画像から、ユーザ操作により指定された領域を切り出して、原文画像データを生成し、原文関連情報として該生成した原文画像データへの参照情報を格納した指示データを生成する原文画像切出手段として機能させるためのプログラムである。
【発明の効果】
【００１７】
この発明によれば、ユーザが指定した翻訳箇所の原文を明示させた状態で、訳文を入力することができるので、翻訳箇所と翻訳者が作成した訳文との対応がずれない漫画翻訳支援システムを提供できる。
【発明を実施するための最良の形態】
【００１８】
本発明は、画像中心の電子書籍の翻訳版を製作するために、編集者などが、原文の翻訳箇所を翻訳者などへ指示する指示データを生成するための指示データ生成装置と、翻訳者などが、指示された翻訳箇所の訳文を格納した訳文データを生成するための訳文データ生成装置とからなる翻訳支援システムである。本実施形態では、その一例として、漫画の翻訳版製作のための漫画翻訳支援システムについて説明する。なお、訳文データとは、各翻訳箇所の訳文を格納したデータであり、該データに基づき原文の漫画画像に訳文を挿入して、翻訳版の漫画の電子書籍を製作する。画像への訳文の挿入は、配布前に予め行っておく方式と、配布後の表示時に行う方式と２方式あるが、この訳文データはどちらにでも用いることができる。
【００１９】
以下、図面を参照して、本発明の実施の形態について説明する。図１は、この発明の一実施形態による漫画翻訳支援システムの構成を示す概略ブロック図である。
１０は、原文の漫画の電子書籍のファイルであり、図２、図３に例を示すような漫画の各ページの画像データであるページ画像データと、図４の画面例の領域Ｓ１に示すような書籍分類、出版日、刊行物名、紹介文、書籍ＩＤ、著者などからなる書誌情報とを含む原文画像ファイルである。
【００２０】
１００は、指示データ生成装置であり、原文画像読込部１０１、ページ画像表示部１０２、原文画像切出部１０３、原文属性指定部１０４、指示出力部１０５、指示データ記憶部１１０、ページ画像ファイル記憶部１１１、原文切出ファイル記憶部１１２からなる。また、この指示データ生成装置１００は、ＬＡＮ（Local Area Network）端子、ＵＳＢ（Universal Serial Bus）端子などの入出力端子を備え、周辺機器として入力装置、表示装置等（いずれも図示せず）が接続されるものとする。ここで、入力装置とはキーボード、マウス等の入力デバイスのことをいう。表示装置とはＣＲＴ（Cathode Ray Tube）や液晶表示装置等のことをいう。
【００２１】
原文画像読込部（ページ画像読込手段）１０１は、ユーザ操作による指示を受けて、原文画像ファイル１０を読み込み、原文画像ファイル１０中のページ画像データを抽出して１ページ当たり１ファイルのページ画像ファイルを生成してページ画像ファイル記憶部１１１に格納するとともに、指示データ記憶部１１０に書誌情報およびページ情報の登録をする。指示データ記憶部１１０に登録された書誌情報の内容は、図４に画面例を示すように、書誌情報タブＴ３を選択することで、領域Ｓ１に表示される。また、指示データ記憶部１１０に登録されたページ情報については、図５に画面例を示すように、画像リストタブＴ１を選択することで、そのリストが領域Ｓ２に表示される。また、図６に画面例を示すように、翻訳指示リストタブＴ２を選択しても、各ページを表すタブ（ここでは、タブＴ４）が表示される。
なお、書誌情報およびページ情報の詳細については、指示データ記憶部１１０の説明にて詳述する。
【００２２】
ページ画像表示部（ページ画像表示手段）１０２は、図５に示した画面例の領域Ｓ２のページ情報のリストや図６に示した画面例の各ページを表すタブ（ここではタブＴ４など）の中からユーザが選択したページを含む見開き２ページのページ画像ファイルを、ページ画像ファイル記憶部１１１から取得して図５に例示する画像領域Ｇ１に表示させる。このように、見開き２ページの画像を表示させることで、見開きの両方のページに跨ったコマがあり、そのコマに見開きの両方のページに跨った翻訳箇所があっても、原文画像切出部１０３などで、１つの翻訳箇所として扱うことができる。
【００２３】
原文画像切出部（原文画像切出手段）１０３は、ページ画像表示部１０２が表示させたページ画像の中から、入力手段としてマウスなどのポインティングデバイス（図示せず）を用いて指定された矩形の領域（例えば、図５の領域Ｂ１および図６の領域Ｂ２）を切り出して、切出した領域の画像データを格納した原文切出ファイルを生成して原文切出ファイル記憶部１１２に格納する。それとともに、原文画像切出部１０３は、指示データ記憶部１１０の指示情報に新規に翻訳箇所のレコードを追加して、該追加したレコードに新しく割り当てた翻訳箇所の番号と、原文関連情報としてページ番号および切出した領域の座標およびサイズおよび原文切出ファイルのファイル名称とを対応付けて登録する。
【００２４】
原文属性指定部１０４は、原文画像切出部１０３にて領域を切出すと、図７および図８に例示するような属性指定画面を表示させ、ユーザ操作による属性、文字飾、表示方向情報の入力を受付け、入力された原文属性情報を指示データ記憶部１１０の該当レコード（翻訳箇所）に登録する。属性としては、図７のプルダウンＰ１、図８のプルダウンＰ４に例示するように、吹き出し、絵文字、表紙・大扉・中扉、目次、解説、脚注、奥付などを指定可能である。文字飾としては、図７のチェックボックスＰ２、図８のチェックボックスＰ３に例示するように、太字、アンダーライン、または、イタリックを指定可能である。表示方向としては、図７のラジオボタンＰ３、図８のラジオボタンＰ６に例示するように、横書き左から、縦書き左から、横書き右から、または、縦書き左からのいずれかを指定可能である。
【００２５】
指示データ記憶部１１０は、図９に内容例を示すように、原文の漫画に関する書誌情報と、各ページのページ画像ファイルに関するページ情報と、翻訳箇所に関する指示情報からなる。書誌情報には、原文画像ファイルから取得した書誌情報を格納し、項目として、書籍分類、出版日、刊行物名、刊行物名カナ、紹介文、ファイル名、ライブラリ、ＩＳＢＮ、書籍ＩＤ、最終アクセス日、ページ数、出版社名、出版社名カナ、著者、著者カナ、翻訳者、監修者がある。ページ情報には、ページ毎にレコードがあり、各レコードには項目として、ファイル名、頁、ページ種別がある。指示情報には、翻訳箇所毎にレコードがあり、各レコードには項目として、識別番号、頁、属性、文字飾、表示方向、座標・サイズ、原文切出ファイルがある。
【００２６】
ページ画像ファイル記憶部１１１は、原文の漫画の各ページのページ画像ファイルを格納する。
原文切出ファイル記憶部１１２は、原文の漫画画像から翻訳箇所を切出した原文切出画像のデータを格納した原文切出ファイルを格納する。各原文切出ファイルは、１つの翻訳箇所の原文切出画像を格納する。
【００２７】
指示出力部１０５は、ユーザ操作による指示を受けて、指示データ記憶部１１０に格納されている情報を取得して指示ファイル１１を生成し、この指示ファイル１１とともに原文切出ファイル記憶部１１２から原文切出ファイル１２を出力する。出力先は、ＬＡＮ端子などを介して接続された他装置であってもよいし、ＵＳＢ端子に接続されたＵＳＢメモリなどの可搬媒体であってもよい。
【００２８】
２００は、訳文データ生成装置であり、訳文データ生成装置２００は、指示読込部２０１、翻訳箇所指定部２０２、原文画像表示部２０３、訳文入力部２０４、訳文データ記憶部２１０、原文切出ファイル記憶部２１１、訳文出力部２０５からなる。訳文データ生成装置２００は、ＬＡＮ（Local Area Network）端子、ＵＳＢ（Universal Serial Bus）端子などの入出力端子を備え、周辺機器として入力装置、表示装置等（いずれも図示せず）が接続されるものとする。ここで、入力装置とはキーボード、マウス等の入力デバイスのことをいう。表示装置とはＣＲＴ（Cathode Ray Tube）や液晶表示装置等のことをいう。
【００２９】
指示読込部（指示読込手段）２０１は、ユーザ操作による指示を受けて、指示ファイル１１を読込み、訳文データ記憶部２１０に登録するとともに、原文切出ファイル１２を読込み、原文切出ファイル記憶部２１１に格納する。また、指示読込部２０１は、図１０、図１１に例示するように、指示ファイル１１から読込んだ指示情報を表示させる。
【００３０】
翻訳箇所指定部（翻訳箇所指定手段）２０２は、指示読込部２０１が表示させた指示情報の中からユーザ操作による翻訳箇所の指定を受け付ける。指定方法は、図１０の例では、ページ２４０の最初の翻訳箇所の原文切出ファイル１２のファイル名を表示している領域Ｓ４をマウスやカーソルキー（図示せず）を用いて選択し、さらに表示ボタンＢＴ１をマウスなどで選択する。図１１の例では、ページ２４０の２番目の翻訳箇所の原文切出ファイル１２のファイル名を表示している領域Ｓ５を選択し、さらに表示ボタンＢＴ２を選択する。
【００３１】
なお、本実施形態において翻訳箇所指定部２０２は、領域Ｓ４の選択と表示ボタンＢＴ１の選択により翻訳箇所の指定を行うとして説明したが、訳文を入力する領域Ｓ６の選択により翻訳箇所の指定を行ってもよい。
【００３２】
原文切出データ表示部（原文表示手段）２０３は、訳文データ記憶部２１０を参照して、翻訳箇所指定部２０２が受け付けた翻訳箇所の原文切出ファイルのファイル名を取得し、図１０の画像領域Ｇ４および図１１の画像領域Ｇ５に例示するように、該当する原文切出ファイルを原文切出ファイル記憶部２１１から取得して、その画像を表示させる。
【００３３】
なお、本実施形態において原文切出データ表示部２０３は、訳文データ記憶部２１０を参照して原文切出ファイルのファイル名を取得し、該ファイル名の原文切出ファイルを原文切出ファイル記憶部２１１から取得し、図１０の画像領域Ｇ４に例示するように該ファイルの画像を表示させることで原文を明示するとして説明したが、原文のページ画像を表示させて、訳文データ記憶部２１０を参照して翻訳箇所の座標とサイズを取得し、表示させているページ画像に該座標およびサイズの矩形枠を重ねて表示するなどして、翻訳箇所を示すことで、原文を明示してもよい。
【００３４】
訳文入力部（訳文入力手段）２０４は、図１０の領域Ｓ６や図１１の領域Ｓ７に例示するような入力領域に対するユーザ操作による訳文の入力を受け付け、これを訳文データ記憶部２１０の訳文情報の該当レコードに登録する。
訳文データ記憶部２１０は、図１２に内容例を示すように、書誌情報とページ情報と訳文情報とからなる。書誌情報およびページ情報は、指示データ記憶部１１０が備えるものと同様である。訳文情報は、指示データ記憶部１１０が備える指示情報に加えて、各レコードに訳文を格納する項目を持つ。
【００３５】
原文切出ファイル記憶部２１１は、原文画像の各翻訳箇所の画像を切出した画像ファイルである原文切出ファイルを格納する。
訳文出力部２０５は、ユーザ操作による指示を受けて、訳文データ記憶部２１０に格納されている情報を取得して訳文ファイル１３を生成して出力する。出力先は、ＬＡＮ端子などを介して接続された他装置であってもよいし、ＵＳＢ端子に接続されたＵＳＢメモリなどの可搬媒体であってもよい。
訳文ファイル１３は、訳文データ記憶部２１０に格納されている情報をファイルに格納したものであり、漫画翻訳支援システムの出力となる訳文データである。
【００３６】
次に、この漫画翻訳支援システムの動作を、図１３に示す指示データ生成装置１００のフローチャートおよび図１４に示す訳文データ生成装置２００のフローチャートを参照して説明する。
【００３７】
まず、指示データ生成装置１００の動作を説明する。原文画像読込部１０１は、ユーザ操作による指示を受けて、原文画像ファイル１０を読み込み、各ページの画像データをページ画像ファイルにして、ページ画像ファイル記憶部１１１に格納するとともに、指示データ記憶部１１０に書誌情報およびページ情報を登録する（Ｓａ１）。次に、ページ画像表示部１０２は、図５に示した画面例のタブＴ１を選択されると、領域Ｓ２のページ情報のリストの中からユーザが選択したページ（例えば２４０ページ）を含む見開き２ページ（２４０ページおよび２４１ページ）のページ画像ファイルを、ページ画像ファイル記憶部１１１から取得して図５に例示する画像領域Ｇ１に表示させる（Ｓａ３）。
【００３８】
原文画像切出部１０３は、表示されている２４０と２４１ページのページ画像の中から、ユーザがマウスを操作して左上の頂点でクリックして、右下の頂点までドラッグすることで指定された矩形の領域（例えば、図５の領域Ｂ１）の画像データを取得する。原文画像切出部１０３は、この画像データを格納したファイル（ファイル名0240_0000_bmp）を生成して原文切出ファイル記憶部１１２に記憶する。それとともに、原文画像切出部１０３は、指示データ記憶部１１０の指示情報に新規に翻訳箇所のレコードを追加して、該追加したレコードに新しく割り当てた翻訳箇所の識別番号（１５０３）と、原文関連情報としてページ番号（２４０）および切出した領域の座標（３９２，３５２）およびサイズ（４８、５８）および原文切出ファイル記憶部１１２に格納した原文切出ファイルのファイル名称（0240_0000_bmp）とを登録する（Ｓａ５）。
【００３９】
原文属性指定部１０４は、原文画像切出部１０３にて領域を切出すと、図７に例示するような属性指定画面を表示させ、ユーザ操作による属性、文字飾、表示方向情報の入力を受付け、入力された原文属性情報を指示データ記憶部１１０の該当レコード（翻訳箇所）に登録する（Ｓａ６）。ここでは、属性として吹き出し、文字飾りはなし、表示方向として縦書き右からを選択してＯＫボタンを選択すると、これらをステップＳａ５にて新規追加した指示データ記憶部１１０の指示情報の識別番号「１５０３」のレコードに格納する。なお、属性が吹き出しのときは“Ｂ”、絵文字は“Ｇ”、表紙・大扉・中扉は“Ｃ”、目次は“Ｔ”、解説は“Ｅ”、脚注は“Ｌ”、奥付は“Ｄ”、文字飾りが太字のときは“Ｂold”、アンダーラインのときは“Under”、イタリックのときは“Italic”を登録する。つまり、ここでは、属性には“Ｂ”を登録し、文字飾には何も登録せず、表示方向には“縦右”を登録する。
【００４０】
ステップＳａ４に戻って、このページ（２４０ページ）の全ての翻訳箇所について同様に繰り返す（Ｓａ７）。さらにステップＳａ２に戻って、全てのページについて同様に繰り返す（Ｓａ８）。指示出力部１０５は、ユーザ操作による指示を受けて、指示データ記憶部１１０に格納されている情報を取得して指示ファイル１１を生成し、この指示ファイル１１とともに原文切出ファイル記憶部１１２から原文切出ファイル１２を取得して出力する（Ｓａ９）。出力した指示ファイル１１および原文切出ファイル１２は、ＵＳＢメモリなどを用いて、訳文データ生成装置２００に転送する。
【００４１】
次に、訳文データ生成装置２００の動作を説明する。指示読込部２０１は、ユーザ操作による指示を受けて、指示データ生成装置１００が生成した指示ファイル１１を読込み、その内容を訳文データ記憶部２１０に登録するとともに、原文切出ファイル１２を全て読込み、原文切出ファイル記憶部２１１に格納する（Ｓｂ１）。指示読込部２０１は、指示ファイル１１から読込んだ指示情報を図１０に示すように表示させる。ユーザが図１０の領域Ｓ４をマウスで選択し、さらに表示ボタンＴ１で選択すると、これらの選択指示を翻訳箇所指定部２０２が受け付ける（Ｓｂ３）。原文切出データ表示部２０３は、翻訳箇所指定部２０２が受け付けた選択指示に従い、領域Ｓ４に表示されているファイル名“0240_0000.bmp”を取得し、該ファイル名の原文切出ファイルを原文切出ファイル記憶部２１１から取得し、該ファイルから画像データを読み出して、画像領域Ｇ４に表示する（Ｓｂ４）。次に、ユーザが領域Ｓ６を選択し、画像領域Ｇ４に表示された原文を翻訳した訳文を該領域Ｓ６にキーボードなどを用いて入力する。訳文入力部２０４は、入力された訳文を受け付け、これを訳文データ記憶部２１０に登録する（Ｓｂ５）。ステップＳｂ２に戻って、全ての翻訳箇所について、同様に繰り返す（Ｓｂ６）。訳文出力部２０５は、ユーザ操作による指示を受けて、訳文データ記憶部２１０に格納されている情報を訳文ファイル１３として出力する（Ｓｂ７）。
【００４２】
このように、本実施形態では、指示データ生成装置１００が生成した指示ファイル１１に基づき、翻訳箇所の原文を表示させながら、訳文を入力することができるので、翻訳箇所と訳文とがずれることなく、訳文ファイル１３を生成することができる。
また、訳文ファイル１３には、指示データを生成する際に指定した翻訳箇所の座標・サイズや属性、文字飾、表示方向を併せて記憶しているので、翻訳版の漫画を生成する際にこれらの情報を用いることもできる。
【００４３】
また、各原文切出ファイルは、１つの翻訳箇所の原文切出画像を格納するとして説明したが、一つの原文切出ファイルに複数もしくは全ての翻訳箇所の原文切出画像を格納してもよい。このときは、指示データ記憶部１１０の指示情報の項目原文切出ファイルおよび訳文データ記憶部２１０の訳文情報の項目原文切出ファイルには、ファイル名称とともに、該ファイル中の何枚目の画像であるかなどの識別情報を格納し、原文切出データ表示部２０３は、この識別情報を用いて目的の原文切出画像を取得する。
【００４４】
また、訳文データ記憶部２１０で記憶している指示情報には、１レコードについて１つの訳文のエリアを持ち、１つの訳文を入力できるとして説明したが、各レコードに複数の訳文のエリアを持ち、複数の訳文を入力できるようにし、１つは英語、次は中国語、その次はフランス語というように、複数の言語についての翻訳に用いることもできる。
また、訳文ファイル１３を編集者が受け取って確認するような場合のために、図７の領域Ｓ８および図８の領域Ｓ９に例示するように、訳文を表示する領域を設けることで、翻訳者が生成した訳文ファイル１３を指示データ生成装置１００にて確認することができるようにしてもよい。この場合、指示データ生成装置１００は、指示データ記憶部１１０の指示情報の各レコードに訳文を格納するエリアを設け、訳文ファイル１３を読込み、その内容を指示データ記憶部１１０に登録するようにし、さらにページ画像表示部１０２は指示データ記憶部１１０に登録された訳文を取得して、前述の訳文を表示する領域に表示させる。
【００４５】
また、図１における原文画像読込部１０１とページ画像表示部１０２と原文画像切出部１０３と原文属性指定部１０４と指示出力部１０５と、あるいは、指示読込部２０１と翻訳箇所指定部２０２と原文切出データ表示部２０３と訳文入力部２０４と訳文出力部２０５との機能を実現するためのプログラムをコンピュータ読み取り可能な記録媒体に記録して、この記録媒体に記録されたプログラムをコンピュータシステムに読み込ませ、実行することにより指示データ生成装置１００あるいは訳文データ生成装置２００の処理を行ってもよい。なお、ここでいう「コンピュータシステム」とは、ＯＳや周辺機器等のハードウェアを含むものとする。
【００４６】
また、「コンピュータシステム」は、ＷＷＷ（World Wide Web）システムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４７】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４８】
本発明は、インターネットなどを用いて配布する漫画および写真集、絵本、レシピ集などの画像を中心とした電子書籍の翻訳版を製作するための訳文データを生成する漫画翻訳支援システムに用いて好適である
【図面の簡単な説明】
【００４９】
【図１】この発明の一実施形態による翻訳支援システムの概略構成を示すブロック図である。
【図２】同実施形態におけるページ画像（２４０ページ）の例である。
【図３】同実施形態におけるページ画像（２４１ページ）の例である。
【図４】同実施形態における指示データ生成装置１００の書誌情報表示の画面例である。
【図５】同実施形態における指示データ生成装置１００のページ情報表示の画面例である。
【図６】同実施形態における指示データ生成装置１００の翻訳指示リスト表示の画面例である。
【図７】同実施形態における指示データ生成装置１００の属性指定画面例である。
【図８】同実施形態における指示データ生成装置１００の属性指定画面例である。
【図９】同実施形態における指示データ記憶部１１０の記憶内容例である。
【図１０】同実施形態における訳文データ生成装置２００の画面例である。
【図１１】同実施形態における訳文データ生成装置２００の画面例である。
【図１２】同実施形態における訳文データ記憶部２１０の記憶内容例である。
【図１３】同実施形態における指示データ生成装置１００の動作を説明するフローチャートである。
【図１４】同実施形態における訳文データ生成装置２００の動作を説明するフローチャートである。
【符号の説明】
【００５０】
１０…原文画像ファイル
１１…指示ファイル
１２…原文切出ファイル
１３…訳文ファイル
１００…指示データ生成装置
１０１…原文画像読込部（ページ画像読込手段）
１０２…ページ画像表示部（ページ画像表示手段）
１０３…原文画像切出部（原文画像切出手段）
１０４…原文属性指定部
１０５…指示出力部
１１０…指示データ記憶部
１１１…ページ画像ファイル記憶部
１１２…原文切出ファイル記憶部
２００…訳文データ生成装置
２０１…指示読込部（指示読込手段）
２０２…翻訳箇所指定部（翻訳箇所指定手段）
２０３…原文切出データ表示部（原文表示手段）
２０４…訳文入力部（訳文入力手段）
２０５…訳文出力部
２１０…訳文データ記憶部
２１１…原文切出ファイル記憶部
【図１】
2007304867.tif 000003
【図２】
2007304867.tif 000004
【図３】
2007304867.tif 000005
【図４】
2007304867.tif 000006
【図５】
2007304867.tif 000007
【図６】
2007304867.tif 000008
【図７】
2007304867.tif 000009
【図８】
2007304867.tif 000010
【図９】
2007304867.tif 000011
【図１０】
2007304867.tif 000012
【図１１】
2007304867.tif 000013
【図１２】
2007304867.tif 000014
【図１３】
2007304867.tif 000015
【図１４】
2007304867.tif 000016